(57)【要約】【課題】小スペースかつ低価格でありつつ、被測定者の足の指の圧力を正確に測定することができる圧力測定システムを提供する。【解決手段】検出部Ｄ１〜Ｄ５の各々が、足の指の接地部に掛かる圧力を検出し、本体ユニットＭＮ（ＰＭ）が、足に着脱可能であり、かつ、本体ユニットＭＮ（ＰＭ）を装着した足に靴が着脱可能であり、検出部Ｄ１〜Ｄ５が、本体ユニットＭＮ（ＰＭ）における、足の指の接地部の位置に対応する位置に設けられた圧力測定機器を提供する。【選択図】図２
2019177072.tif 000002
【特許請求の範囲】
【請求項１】
足の指の接地部に掛かる圧力を検出する一または二以上の検出部と、
前記足に着脱可能な本体ユニットであって、該本体ユニットを装着した前記足に靴が着脱可能な前記本体ユニットと、を含み、
前記一または二以上の検出部が、前記本体ユニットにおける、前記足の五指のうちの一つ以上の接地部の位置に対応する位置に設けられたことを特徴とする圧力測定機器。
【請求項２】
請求項１に記載の圧力測定機器であって、
前記本体ユニットは、前記足の五指を含む爪先部分に相当する形状の袋状布部を備えることを特徴とする圧力測定機器。
【請求項３】
請求項２に記載の圧力測定機器であって、
前記袋状布部は、前記足の指の付け根の位置に対応する位置から前記足の指の先端の位置に対応する位置へ向けて延在する一または二以上の凸部を有し、
前記一または二以上の検出部は、前記一または二以上の凸部における、前記足の指の接地部の位置に対応する位置に設けられていることを特徴とする圧力測定機器。
【請求項４】
請求項３に記載の圧力測定機器であって、
前記一または二以上の凸部は、前記足の各指の付け根の位置に対応する位置で、前記足の付け根を前記足の付け根の表面から前記足の付け根の内部へ向けて押圧する押圧力を備えることを特徴とする圧力測定機器。
【請求項５】
請求項１から請求項４までに記載の圧力測定機器と、圧力表示機器と、有し、
前記圧力測定機器は、
更に、前記複数の検出部により検出された足の指の接地部に掛かる圧力を示す圧力データを送信する送信ユニットを含み、
前記圧力表示機器は、
前記送信ユニットから、前記圧力データを受信する受信ユニットと、
前記受信ユニットにより受信された圧力データが示す前記足の指の接地部に掛かる圧力を表示する表示ユニットと、
を有することを特徴とする圧力測定システム。
【請求項６】
請求項１から請求項４までに記載の圧力測定機器を用いて、前記足の指の接地部に掛かる圧力を測定する工程と、
前記測定された足の指の接地部に掛かる圧力を表示する工程と、
を含むことを特徴とする圧力測定方法。
【発明の詳細な説明】
【技術分野】
【０００１】
本発明は、足の裏に掛かる圧力を測定する圧力測定機器、圧力測定システム、及び圧力測定方法に関する。
【背景技術】
【０００２】
特許文献１乃至特許文献６に記載された機器等は、足の裏等に加わる圧力を測定することを目的とする。当該目的を達成すべく、特に、特許文献２に記載の靴では、靴底または中敷き（インソール）における足の各指の位置に対応するように、圧力センサが設けられている。
【先行技術文献】
【特許文献】
【０００３】
【特許文献１】特開２００１−４１８３５号公報
【特許文献２】特開２００４−１８７８０８号公報
【特許文献３】特開２００８−２３７８３３号公報
【特許文献４】特表２０１５−５０９０２８号公報
【特許文献５】特開２０１６−２２０８１３号公報
【特許文献６】特開２０１３−１７８２２号公報
【発明の概要】
【発明が解決しようとする課題】
【０００４】
しかしながら、上記した靴を装着する者（装着者）の足の各指は、当該装着者が歩行、走行、跳躍等を行っているときに、前記靴の中で完全に同一の位置には留まっていない。そのため、前記装着者の足の各指の位置が、上記した靴の靴底またはインソールに設けられた圧力センサの位置からずれ、それにより、前記装着者の足の各指に掛かる圧力を正確に把握することができないことがあった。
【０００５】
また、特許文献３及び特許文献６に記載のシステムでは、測定の手続が煩雑であり、システム自体が広い設置面積を必要とし、システムの価格が高価であるという課題があった。
【０００６】
本発明の目的は、足の指に掛かる圧力を正確に測定することを実現できる圧力測定機器、圧力測定システム、及び、圧力測定方法を提供することにある。
【０００７】
本発明の更なる目的は、上記に加えて、測定の手続きが簡易であること、測定のために広い面積を要しないこと、または、価格が安価であること、のうちの一つ以上を実現することができる圧力測定機器、圧力測定システム、及び、圧力測定方法を提供することにある。
【課題を解決するための手段】
【０００８】
上記した課題を解決すべく、本発明に係る圧力測定機器は、足の指の接地部に掛かる圧力を検出する一または二以上の検出部と、前記足に着脱可能な本体ユニットであって、該本体ユニットを装着した前記足に靴が着脱可能な前記本体ユニットと、を含み、前記一または二以上の検出部が、前記本体ユニットにおける、前記足の五指のうちの一つ以上の接地部の位置に対応する位置に設けられている。
【０００９】
本発明に係る圧力測定機器では、前記本体ユニットは、前記足の五指を含む爪先部分に相当する形状の袋状布部を備えることが望ましい。
【００１０】
本発明に係る圧力測定機器では、前記袋状布部は、前記足の指の付け根の位置に対応する位置から前記足の指の先端の位置に対応する位置へ向けて延在する一または二以上の凸部を有し、前記一または二以上の検出部は、前記一または二以上の凸部における、前記足の指の接地部の位置に対応する位置に設けられていることが望ましい。
【００１１】
本発明に係る圧力測定機器では、前記一または二以上の凸部は、前記足の各指の付け根の位置に対応する位置で、前記足の付け根を前記足の付け根の表面から前記足の付け根の内部へ向けて押圧する押圧力を備えることが望ましい。
【００１２】
また、本発明に係る圧力測定システムは、上記した圧力測定機器と、圧力表示機器と、有し、前記圧力測定機器は、更に、前記複数の検出部により検出された足の指の接地部に掛かる圧力を示す圧力データを送信する送信ユニットを含み、前記圧力表示機器は、前記送信ユニットから、前記圧力データを受信する受信ユニットと、前記受信ユニットにより受信された圧力データが示す前記足の指の接地部に掛かる圧力を表示する表示ユニットと、を有する。
【００１３】
更に、本発明に係る圧力測定方法は、上記した圧力測定機器を用いて、前記足の指の接地部に掛かる圧力を測定する工程と、前記測定された足の指の接地部に掛かる圧力を表示する工程と、を含む。
【００１４】
「足の指の接地部」とは、足の指のうち、地面からの圧力を受ける部位であり、例えば、足の指の腹、及び、当該腹の周辺を意味する。「圧力データ」とは、圧力値に換算する前のＡＤ変換値を含む。
【発明の効果】
【００１５】
本発明に係る圧力測定機器、圧力測定システム、及び、圧力測定方法によれば、足の指の接地部に掛かる圧力を正確に測定することが可能となる。
【００１６】
本発明に係る圧力測定機器、圧力測定システム、及び、圧力測定方法によれば、さらに、測定の手続きが簡易であり、測定のために広い面積を要せず、または、価格を安価にすることが可能となる。
【図面の簡単な説明】
【００１７】
【図１】実施形態の圧力測定システムの構成を示す図である。
【図２】本体ユニットの外観を示す斜視図である。
【図３】本体ユニットの外観を示す正面図である。
【図４】本体ユニットの外観を示す底面図である。
【図５】本体ユニットの変形例１の外観を示す底面図である。
【図６】本体ユニットの変形例２の外観を示す底面図である。
【図７】実施形態の圧力測定システムの動作を示すフローチャートである。
【図８】被測定者が本体ユニット及び靴を装着する様子を示す図である。
【図９】被測定者の足の指に掛かる圧力を示す図である。
【図１０】実際の圧力測定システムにより測定された足の指の圧力を示す図である。
【図１１】比較例のインソールの底面図である。
【図１２】比較例のインソールにより足の指の圧力を測定した結果を示す図である。
【図１３】浮き指を評価する動作を示すフローチャートである。
【図１４】被測定者の足の指の圧力を測定した結果を示す図である。
【図１５】浮き指を低減するためのインソールを示す図である。
【発明を実施するための形態】
【００１８】
以下、本発明に係る圧力測定システムの実施形態について図面を参照して説明する。
【００１９】
〈実施形態〉
〈実施形態の構成〉
図１は、実施形態の圧力測定システムの構成を示す。実施形態の圧力測定システムＰＭＳは、足の指に掛かる圧力の測定を受ける者（以下、「被測定者甲」という。）の足が接地しているときに当該足の指の接地部に掛かる圧力を測定すべく、図１に示されるように、圧力測定機器ＰＭと、圧力表示機器ＰＤと、通信路ＴＬとを含む。
【００２０】
圧力測定機器ＰＭは、制御ユニットＣＴ（ＰＭ）と、本体ユニットＭＮ（ＰＭ）と、通信ユニットＣＭ（ＰＭ）とを有する。説明及び理解を容易にすべく、以下の説明では、両足の指ではなく、左足の指のみを測定することを想定する。
【００２１】
制御ユニットＣＴ（ＰＭ）は、ＣＰＵ１０と、ＲＯＭ２０と、ＲＡＭ３０とを備える。ＲＯＭ２０は、圧力測定機器ＰＭの動作、換言すれば、制御ユニットＣＴ（ＰＭ）、本体ユニットＭＮ（ＰＭ）、及び通信ユニットＣＭ（ＰＭ）の動作を監視及び制御するためのプログラム４０を記憶している。ＣＰＵ１０は、ＲＡＭ３０を作業領域としつつ、前記プログラム４０の内容に従って、圧力測定機器ＰＭを全体的に監視及び制御する。
【００２２】
本体ユニットＭＮ（ＰＭ）は、図１に示されるように、複数（５個）の検出部Ｄ１〜Ｄ５を備える。
【００２３】
図２は、本体ユニットの外観を示す斜視図であり、図３は、本体ユニットの外観を示す正面図であり、図４は、本体ユニットの外観を示す底面図である。本体ユニットＭＮ（ＰＭ）は、図２〜図４に示されるように、全体として、いわゆる五本指靴下の形状を模した形状を有する。本体ユニットＭＮ（ＰＭ）は、一般的な靴下と同様に、繊維等から構成されている。本体ユニットＭＮ（ＰＭ）は、被測定者甲の足に着脱可能であり、また、靴（図８に図示の靴ＳＨ）が、当該本体ユニットＭＮ（ＰＭ）を装着した足に着脱可能である。
【００２４】
本体ユニットＭＮ（ＰＭ）は、より正確には、図３に示されるように、本体部Ｂと、凸部Ｃ１〜Ｃ５と、から構成されている。本体部Ｂは、概ね、五本指靴下の形状に近似しており、正確には、指に相当する部分が無い五本指靴下の形状に近似する。凸部Ｃ１〜Ｃ５は、本体部Ｂから前方へ向けて延在し、より詳しくは、本体部Ｂにおける、前記足の指の付け根の位置に対応する位置から前記足の指の先端の位置に対応する位置へ向けて延在する。凸部Ｃ１〜Ｃ５は、足の指、即ち、第１趾（親指）、第２趾（人差し指）、第３趾（中指）、第４趾（薬指）、第５趾（小指）の形状を模した形状を有し、かつ、それぞれ、第１趾〜第５趾の大きさと概ね等しい大きさを有する。
【００２５】
換言すれば、本体ユニットＭＮ（ＰＭ）は、広義には、足指を全体的に覆う袋状布部を備えており、また、狭義には、前記足の五指（第１趾〜第５趾）を含む爪先部分に相当する形状の袋状布部（凸部Ｃ１〜Ｃ５）を備えている。後者については、特に、後述の変形例１（図５に図示）のような、いわゆる指サックの形状を有する袋状布部（凸部Ｃ１〜Ｃ５）のみを備えている（換言すれば、本体部Ｂが実質的に皆無に等しい）ことも含まれる。なお、図５のように凸部同士は連結されていてもよく、各指に装着するような独立した凸部であってもよい。
【００２６】
ここで、「袋状布部」の「袋」は、少なくとも足の指に着脱するための部分が開いており、他の部分が縫い合わせ、張り合わせた等により閉じており、機能としては、袋の中に指を入れることさえできれば足りることを意味する。また、「袋状布部」の「布」は、代表的な材質が、布である意味であり、例えば、紙、革等の他の材質を排除する意味ではない。
【００２７】
本体ユニットＭＮ（ＰＭ）は、また、図４の底面図に示されるように、凸部Ｃ１、Ｃ２、Ｃ３、Ｃ４、Ｃ５の外側の底面（靴底またはインソールと接する面）における指、即ち、第１趾、第２趾、第３趾、第４趾、第５趾の接地部の位置に対応する位置に、それぞれ、検出部Ｄ１、Ｄ２、Ｄ３、Ｄ４、Ｄ５を備える。ここで、検出部Ｄ１〜Ｄ５は、本体ユニットＭＮ（ＰＭ）の外側の底面に配置されることに代えて、本体ユニットＭＮ（ＰＭ）の内側の底面（足に直に接する面）における、第１趾〜第５趾の接地部の位置に対応する位置に配置されること、即ち、足の指の接地部に接触する位置に配置されても良い。この配置は、即ち、検出部Ｄ１〜Ｄ５が、本体ユニットＭＮ（ＰＭ）の内側の底面に配置されることは、本体ユニットＭＮ（ＰＭ）と足の指との間に、より正確には、検出部Ｄ１〜Ｄ５と足の指との間に、他の部材、例えば、薄手の靴下、ストッキング等が介在することを排除する意味では無い。凸部Ｃ１〜Ｃ５は、検出部Ｄ１〜Ｄ５と足の指との間の位置ずれをより低減すべく、足の各指の付け根（図示せず）の位置に対応する位置で、足の付け根を足の付け根の表面から足の付け根の内部へ向けて押圧する押圧力を有することが望ましい。例えば、本体ユニットＭＮ（ＰＭ）の凸部Ｃ１〜Ｃ５を伸縮性がある生地で形成することにより、足の指に本体ユニットＭＮ（ＰＭ）がフィット、即ち、適合するように押圧力が働くため、検出部Ｄ１〜Ｄ５の位置ずれを低減することができる。
【００２８】
図５は、本体ユニットの変形例１の外観を示す底面図である。本体ユニットＭＮ（ＰＭ）の変形例１は、図５に示されるように、図４に図示された本体ユニットＭＮ（ＰＭ）のうち、足の指に対応する部分のみである。変形例１の本体ユニットＭＮ（ＰＭ）も、図４に図示の本体ユニットＭＮ（ＰＭ）と同様に、本体部Ｂと、凸部Ｃ１〜Ｃ５とを有する。変形例１の本体ユニットＭＮ（ＰＭ）では、図４に図示の本体ユニットＭＮ（ＰＭ）と同様に、凸部Ｃ１〜Ｃ５における、第１趾、第２趾、第３趾、第４趾、第５趾の接地部の位置に対応する位置に、それぞれ、検出部Ｄ１、Ｄ２、Ｄ３、Ｄ４、Ｄ５を備える。
【００２９】
図６は、本体ユニットの変形例２の外観を示す底面図である。本体ユニットＭＮ（ＰＭ）の変形例２は、図６に示されるように、図５に図示の変形例１と対照的に、図４に図示の本体ユニットＭＮ（ＰＭ）のうち、足の指に対応する部分以外の部分からなる。変形例２の本体ユニットＭＮ（ＰＭ）は、図４に図示の本体ユニットＭＮ（ＰＭ）と同様に、本体部Ｂを有し、他方で、図４に図示の本体ユニットＭＮ（ＰＭ）と相違し、支持部材Ｓ１〜Ｓ５を有する。変形例２の本体ユニットＭＮ（ＰＭ）では、本体ユニットＭＮ（ＰＭ）における指の付け根に対応する位置から支持部材Ｓ１〜Ｓ５が延在しており、当該支持部材Ｓ１〜Ｓ５の先端に、より正確には、変形例２の本体ユニットＭＮ（ＰＭ）を装着した被測定者甲の第１趾〜第５趾の接地部の位置に対応する位置に、検出部Ｄ１〜Ｄ５が設けられている。ここで、支持部材Ｓ１〜Ｓ５は、『凸部』に対応する。
【００３０】
図１、図４、図５、図６に図示された検出部Ｄ１〜Ｄ５は、圧力センサである。圧力センサは、その材料、方式、出力要素、ベース材等を問わない。圧力センサの方式は、抵抗線式、拡散式、静電容量式、機械式等のいずれでも良く、圧力センサの出力要素は、歪ゲージ、金属膜等のいずれでも良く、圧力センサのベース材は、ダイヤフラム、バネ等のいずれでも良い。圧力センサは、より典型的には、例えば、感圧導電ゴム型センサ、ピエゾ型センサ、導電繊維または圧電繊維を用いたファブリック型センサ、メンブレン型センサを用いることができる。
【００３１】
検出部Ｄ１〜Ｄ５は、形状を問わず、例えば、円形でも、矩形でも良く、円形の直径及び矩形の一辺は、足の指の面積の大きさに鑑みると、例えば、５ｍｍ〜１５ｍｍが望ましい。検出部Ｄ１〜Ｄ５は、足への違和感に鑑みると、例えば、２ｍｍ以下の厚さであることが望ましい。
【００３２】
検出部Ｄ１〜Ｄ５は、繊維等からなる本体ユニットＭＮ（ＰＭ）の繊維等内に埋め込まれても良く、本体ユニットＭＮ（ＰＭ）の繊維等の表面に貼着される等により取り付けられても良く、検出部Ｄ１〜Ｄ５が繊維からなる場合には本体ユニットＭＮ（ＰＭ）に編み込まれても良い。
【００３３】
検出部Ｄ１〜Ｄ５は、足への装着感の観点からは、伸縮性を有する生地により全体的に覆われることが望ましい。
【００３４】
検出部Ｄ１〜Ｄ５は、足の指が動くことに対応すべく、例えば、検出部Ｄ１〜Ｄ５自体が伸縮性を有することが望ましく、または、検出部Ｄ１〜Ｄ５を本体ユニットＭＮ（ＰＭ）に取り付ける場合には、当該取り付けるための部材（生地等）が伸縮性を有することが望ましい。
【００３５】
通信ユニットＣＭ（ＰＭ）は、通信路ＴＬを介して、圧力表示機器ＰＤとの間で通信を行う。より詳しくは、通信ユニットＣＭ（ＰＭ）は、近距離無線通信（例えば、ＮＦＣ、Ｂｌｕｅ  Ｔｏｏｔｈ（登録商標）、ＺｉｇＢｅｅ、ＷｉＦｉ）により、圧力表示機器ＰＤへ、足の指の圧力を示すデータＤＴ（以下、「足指圧力データＤＴ」と略記する。）を送信する。なお、「足指圧力データＤＴ」とは、圧力値に換算する前のＡＤ変換値を含む。
【００３６】
ここで、通信ユニットＣＭ（ＰＭ）は、『送信ユニット』に対応し、足指圧力データは、『圧力データ』に対応する。
【００３７】
制御ユニットＣＴ（ＰＭ）及び通信ユニットＣＭ（ＰＭ）は、被測定者甲の任意の箇所に取り付けられることが望ましく、例えば、図２に示されるように、本体ユニットＭＮ（ＰＭ）が靴下状のものであれば、被測定者甲の足に装着された本体ユニットＭＮ（ＰＭ）の側面に着脱可能である。
【００３８】
制御ユニットＣＴ（ＰＭ）、本体ユニットＭＮ（ＰＭ）、及び通信ユニットＣＭ（ＰＭ）は、図１及び図２に示されるように、配線ＷＲにより接続されている。
【００３９】
配線ＷＲは、図２に示されるように、例えば、本体ユニットＭＮ（ＰＭ）を装着したときにおける足への負担を軽減することを考慮すると、可能な限り、軽量であること、及び、伸縮できることが望ましい。
【００４０】
配線ＷＲは、例えば、リード線でも良く、メッキ繊維（金属が鍍金された繊維）等の導電繊維でも良く、導電性繊維及び非導電性繊維が混合されたもの（例えば、本体ユニットＭＮ（ＰＭ）を構成する非導電性の生地（織地及び編地）における必要な領域に、配線ＷＲとして、導電性の繊維が編み込まれたもの、導電性の刺繍が施されたもの、導電性のペーストが印刷されたもの（下地を印刷した後に導電性のペーストを印刷するものを含む））でも良い。
【００４１】
配線ＷＲは、伸縮性の観点からは、伸縮性を有する基材（例えば、フィルム、シート）に伸縮性を有する導電性のペーストが印刷されたものが望ましく、または、導電性の繊維を撚り加工などの糸加工により、導電糸自体に伸縮性を備えたものであってもよい。導電糸は、また、伸縮性の生地に貼り合わせて配線することもできる。
【００４２】
配線ＷＲは、本体ユニットＭＮ（ＰＭ）に貼り付ける等により着脱可能である。
【００４３】
制御ユニットＣＴ（ＰＭ）、本体ユニットＭＮ（ＰＭ）、通信ユニットＣＭ（ＰＭ）と配線ＷＲとの接続は、電気的な接続が確立しさえすれば足り、例えば、ハンダ付けでも良く、かしめなどで別途コネクターを取り付けて、当該コネクターによる接続でも良く、導電ペーストでの接着でも良く、導電性の糸で縫い付けても良く、検出部Ｄ１〜Ｄ５がファブリック型のセンサである場合には、検出部Ｄ１〜Ｄ５と配線ＷＲとを一枚の生地に一体的に織り込みまたは編み込んでも良い。
【００４４】
次に、圧力表示機器ＰＤは、例えば、パーソナルコンピュータであり、制御ユニットＣＴ（ＰＤ）と、表示ユニットＤＰ（ＰＤ）と、通信ユニットＣＭ（ＰＤ）とを有する。
【００４５】
制御ユニットＣＴ（ＰＤ）は、圧力測定機器ＰＭの制御ユニットＣＴ（ＰＭ）と同様に、ＣＰＵ５０と、ＲＯＭ６０と、ＲＡＭ７０とを備える。
【００４６】
ＲＯＭ６０は、圧力表示機器ＰＤの動作、換言すれば、制御ユニットＣＴ（ＰＤ）、表示ユニットＤＰ（ＰＤ）、通信ユニットＣＭ（ＰＤ）の動作を監視及び制御すべく、プログラム８０を記憶している。
【００４７】
ＣＰＵ５０は、ＲＯＭ６０に記憶されているプログラム８０の内容に従って、ＲＡＭ７０を作業領域とした上で、圧力表示機器ＰＤの動作を全体的に監視及び制御する。
【００４８】
表示ユニットＤＰ（ＰＤ）は、例えば、液晶、有機ＥＬからなり、足指圧力データＤＴを表示する。
【００４９】
通信ユニットＣＭ（ＰＤ）は、圧力測定機器ＰＭから、通信路ＴＬを介して、足指圧力データＤＴを受信すべく、圧力測定機器ＰＭの通信ユニットＣＭ（ＰＭ）と同様に、近距離無線通信（例えば、ＮＦＣ、Ｂｌｕｅ  Ｔｏｏｔｈ（登録商標）、ＺｉｇＢｅｅ、ＷｉＦｉ）の機能を有する。
【００５０】
ここで、通信ユニットＣＭ（ＰＤ）は、『受信ユニット』に対応する。
【００５１】
電源に関しては、圧力測定機器ＰＭは、例えば、電池（図示せず）により動作し、また、圧力表示機器ＰＤは、例えば、交流電源（図示せず）により動作する。
【００５２】
〈実施形態の動作〉
図７は、実施形態の圧力測定システムの動作を示すフローチャートである。以下、図７を参照して、実施形態の圧力測定システムの動作について説明する。
【００５３】
図８は、被測定者が本体ユニット及び靴を装着する様子を示す図である。以下の説明では、被測定者甲が、測定に先立って、（１）図４、図５、図６に示される本体ユニットＭＮ（ＰＭ）のいずれかを装着し、（２）更に、図８に図示の靴ＳＨを着用しており、（３）地面に対して直立していることを想定する。
【００５４】
図９は、ニッタ株式会社製の足圧分布測定システム「Ｆ−ＳＣＡＮ」を用いて測定した、被測定者の足の指に掛かる圧力を示す図である。図９では、濃い部分が、圧力が強いことを示す。本体ユニットＭＮ（ＰＭ）及び靴ＳＨを装着し、かつ、直立している被測定者甲の足の指に掛かる圧力（荷重）については、図９を俯瞰すると、母趾球及び小趾球に掛かる圧力Ｐｂｓ、並びに、踵に掛かる圧力Ｐｋが最も大きく、また、第１趾、第２趾、第３趾、第４趾、第５趾に掛かる圧力Ｐ１、Ｐ２、Ｐ３、Ｐ４、Ｐ５も大きい値を示している。しかも、圧力Ｐ１、Ｐ２、Ｐ３、Ｐ４、Ｐ５については、第１趾、第２趾、第３趾、第４趾、第５趾の順序で、圧力Ｐ１、Ｐ２、Ｐ３、Ｐ４、Ｐ５が小さくなっている。
【００５５】
ステップＳ１：図７で、圧力測定機器ＰＭの電源が投入されると、または、圧力測定機器ＰＭの通信ユニットＣＭ（ＰＭ）が、圧力表示機器ＰＤの通信ユニットＣＭ（ＰＤ）から、足の指の接地部に掛かる圧力を測定すべき旨の指示を受信すると、圧力測定機器ＰＭでは、制御ユニットＣＴ（ＰＭ）が、本体ユニットＭＮ（ＰＭ）に、足の指の圧力を測定すべき旨を指示する。当該指示を受けると、本体ユニットＭＮ（ＰＭ）では、検出部Ｄ１〜Ｄ５が、被測定者甲の第１趾、第２趾、第３趾、第４趾、第５趾に地面から受けている圧力を測定する。
【００５６】
ステップＳ２：ステップＳ１で検出部Ｄ１〜Ｄ５による足の指の接地部に掛かる圧力の測定が完了すると、制御ユニットＣＴ（ＰＭ）は、通信ユニットＣＭ（ＰＭ）に、測定された足指圧力データＤＴを圧力表示機器ＰＤへ送信すべき旨を指示する。当該指示を受けると、通信ユニットＣＭ（ＰＭ）は、前記足指圧力データＤＴを圧力表示機器ＰＤへ送信する。本実施形態においては、測定後に足指圧力データＤＴを圧力表示装置ＰＤへ送信した態様を示したが、歩行時など時間経過毎に圧力測定する場合には、測定したタイミングで（リアルタイムで）データの送信を行うこともできる。
【００５７】
ステップＳ３：ステップＳ２で圧力測定機器ＰＭの通信ユニットＣＭ（ＰＭ）から足指圧力データＤＴが送信されると、圧力表示機器ＰＤの通信ユニットＣＭ（ＰＤ）は、当該足指圧力データＤＴを受信する。
【００５８】
ステップＳ４：ステップＳ３で通信ユニットＣＭ（ＰＤ）が足指圧力データＤＴを受信すると、制御ユニットＣＴ（ＰＤ）は、表示ユニットＤＰ（ＰＤ）に、足指圧力データＤＴを表示すべき旨を指示する。当該指示を受けると、表示ユニットＤＰ（ＰＤ）は、足指圧力データＤＴにより定まる、被測定者甲の足の指の接地部に掛かる圧力を表示する。
【００５９】
図１０は、実際の圧力測定システムにより測定された足の指の接地部に掛かる圧力を示す。圧力表示機器ＰＤの表示ユニットＤＰ（ＰＤ）は、図１０に示されるように、被測定者甲の足の指の接地部に加わる圧力が、第１趾、第２趾、第３趾、第４趾、第５趾の順に、小さいことを表示する。この圧力の大きさの順序は、図９に示される、被測定者甲の足の指に加わる圧力が、第１趾、第２趾、第３趾、第４趾、第５趾の順に小さいことと一致している。これにより、実際の圧力測定システム、より正確には、実際の本体ユニットによる、足の指の圧力を測定する能力が信頼できることが裏付けられている。
【００６０】
〈実施形態の効果〉
図１１は、比較例のインソールの底面図である。実施形態の圧力測定システムＰＭＳ、より正確には、実施形態の本体ユニットＭＮ（ＰＭ）の比較対象である比較例のインソールＩＳの底面（靴底と接する面）は、図１１に示されるように、被測定者甲の足（二点鎖線により図示）における第１趾に対応する位置に圧力センサｄ１が設けられ、第２趾に対応する位置に圧力センサｄ２が設けられ、第３趾に対応する位置に圧力センサｄ３が設けられ、第４趾及び第５趾の中間に対応する位置に圧力センサｄ４が設けられている。ここで、圧力センサｄ１〜ｄ４は、実施形態の検出部Ｄ１〜Ｄ５と同等な性能を有する。
【００６１】
図１２は、比較例のインソールにより足の指の圧力を測定した結果を示す。図４、図５、図６に図示された本体ユニットＭＮ（ＰＭ）に代えて、被測定者甲が、比較例のインソールＩＳを装着した場合における、被測定者の足の指に掛かる圧力は、図１２に示されるように、第２趾、第３趾、第１趾の順に小さく、この結果は、図９に示される、被測定者甲の足の指に掛かる圧力の順序と完全には一致しない。
【００６２】
実際の圧力測定システムによる測定結果と、比較例のインソールによる測定結果との比較から、実施形態の本体ユニットＭＮ（ＰＭ）は、比較例のインソールＩＳよりも、被測定者甲の足の指の圧力をより高精度で測定することができることが裏付けられている。
【００６３】
上記したように、実施形態の検出部Ｄ１〜Ｄ５は、本体ユニットＭＮ（ＰＭ）における、足の指の接地部の位置に対応する位置に設けられている。従って、検出部Ｄ１〜Ｄ５の位置が足の指の接地部の位置からずれる量が、圧力センサが靴底またはインソールに配置されていた従来の装置等に比較して低減されることから、足の指の接地部に掛かる圧力を正確に測定することが可能となる。
また、実施形態の本体ユニットＭＮ（ＰＭ）は、足に着脱可能であり、かつ、本体ユニットＭＮ（ＰＭ）を装着した前記足に靴ＳＨが着脱可能であり、換言すれば、被測定者は、足の指の接地部に掛かる圧力を測定するためには、本体ユニットＭＮ（ＰＭ）を装着し、さらに、靴ＳＨを装着するだけで足りることから、従来の装置等と比較して簡易な手続で前記測定を行うことができる。
さらに、実施形態の本体ユニットＭＮ（ＰＭ）は、五本指靴下に相当する大きさという小スペースであり、即ち、従来のシステム等と異なり、狭い空間及び狭い面積で測定することが可能であり、また、本体ユニットＭＮ（ＰＭ）は、実質的には、圧力センサ等である検出部Ｄ１〜Ｄ５を備えるだけであることから、従来のシステム等に比較して、低価格で前記測定を行うことが可能となる。
【００６４】
上記したように、実施形態の凸部Ｃ１〜Ｃ５は、本体部Ｂにおける、足の指の付け根の位置に対応する位置から前記足の指の先端の位置に対応する位置へ向けて延在しており、かつ、検出部Ｄ１〜Ｄ５は、凸部Ｃ１〜Ｃ５における、足の指の接地部の位置に対応する位置に設けられていることが望ましい。これにより、凸部Ｃ１〜Ｃ５の位置の自由度が、足の指の存在により制限されることから、必然的に、凸部Ｃ１〜Ｃ５の各々に配置された検出部Ｄ１〜Ｄ５の位置の自由度も制限され、その結果、検出部Ｄ１〜Ｄ５の位置が足の指の接地部の位置からずれる量が、更に低減され、その結果、足の裏の接地部に掛かる圧力をより一層、正確に測定することが可能となる。
【００６５】
上記したように、実施形態の凸部Ｃ１〜Ｃ５は、また、凸部Ｃ１〜Ｃ５における、足の指の接地部に接する位置に設けられることが望ましい。これにより、検出部Ｄ１〜Ｄ５は、足の指の接地部から直接、押圧力を受けることになり、その結果、検出部Ｄ１〜Ｄ５の位置が足の指の接地部の位置からずれる量が、更に低減されることから、足の指の接地部に掛かる圧力をより正確に測定することが可能となる。
【００６６】
上記したように、実施形態の凸部Ｃ１〜Ｃ５は、足の指の形状を模した形状を有し、また、足の指の大きさに等しい大きさを有することが望ましい。これにより、凸部Ｃ１〜Ｃ５は、足の指の存在自体によって変形し難くなり、その結果、検出部Ｄ１〜Ｄ５の位置が足の指の接地部の位置からずれる量が、更に低減され、足の指の接地部に掛かる圧力をより一層、正確に測定することが可能となる。
【００６７】
上記したように、実施形態の凸部Ｃ１〜Ｃ５は、足の各指の付け根の位置に対応する位置で、足の付け根を足の付け根の表面から足の付け根の内部へ向けて押圧する押圧力を有することが望ましい。これにより、凸部Ｃ１〜Ｃ５は、変形することがより一段と困難になり、その結果、検出部Ｄ１〜Ｄ５の位置が足の指の接地部の位置からずれる量が、更に低減され、足の指の接地部に掛かる圧力を更に正確に測定することが可能となる。
【００６８】
上記した、本体ユニットＭＮ（PM）の検出部Ｄ１〜Ｄ５が、被測定者甲の足の指の圧力を１回、測定することに代えて、その測定の精度を高めるべく、検出部Ｄ１〜Ｄ５が、例えば、２回以上測定した上で、制御ユニットＣＴ（ＰＭ）または制御ユニットＣＴ（ＰＤ）が、その平均値を用いることが望ましい。
また、本発明の圧力測定システムは、歩行時の測定も可能である。その際、各足の指の接地部に加わる圧力のピーク値から算出した平均値を評価すればよく、同様にステップＳ１〜Ｓ４の動作を行えばよい。
【００６９】
〈浮き指の評価〉
図１３は、浮き指を評価する動作を示すフローチャートである。以下、図１３を参照して、実施形態の圧力測定システムによる、浮き指を評価する動作について説明する。
【００７０】
ステップＳ１０：足の指に掛かる圧力の測定を受ける他の者（以下、「被測定者乙」という。）の足の指の圧力は、上記したステップＳ１〜ステップＳ３と同様にして、圧力測定機器ＰＭの本体ユニットＭＮ（ＰＭ）により測定され、被測定者乙の足指圧力データＤＴが、圧力表示機器ＰＤの制御ユニットＣＴ（ＰＤ）に届く。
【００７１】
図１４は、被測定者の足の指の圧力を測定した結果を示す図である。被測定者乙の足の指の圧力は、図１４における「浮き指低減用インソールの着用前」（左側の棒グラフ）に示される通りである。
【００７２】
ステップＳ１１：制御ユニットＣＴ（ＰＤ）は、被測定者乙の足指圧力データＤＴ（図１４の「浮き指低減用インソールの着用前」）を、ＲＯＭ６０に記憶された、予め定められた閾値ＴＨ（例えば、体重、身長、性別、年齢、足のサイズ等から定まる閾値ＴＨ）と比較する。ここで、制御ユニットＣＴ（ＰＤ）は、被測定者乙の第１趾、第２趾、第３趾が、各々、閾値ＴＨより小さい場合、第１趾、第２趾、第３趾が浮き指である可能性が高いと判断する。
【００７３】
図１５は、浮き指を低減するためのインソールを示す図である。
【００７４】
ステップＳ１２：被測定者乙は、自らにより、または、圧力測定システムＰＭＳを有する企業（例えば、靴販売店、靴メーカ、靴修理店、デパート）により、図１５に示されるように、浮き指を低減するためのインソールＩＳ（Ｆ）、即ち、浮き指低減用インソール（ＩＳ（Ｆ））を準備する。浮き指低減用インソール（ＩＳ（Ｆ））としては、特許第５１３４０７２号公報に開示されている、図１５に示されるものが好適である。具体的には、浮き指低減用インソール（ＩＳ（Ｆ））は、基材部１００と、弾性部２００とを含む。
弾性部２００は、第２趾−第３趾間の領域では、中足趾節間関節を超える位置を周縁とすることにより、足趾、特に第１趾、第２趾を使わせようとする。弾性部２００は、第３趾−第４趾間の領域では、中足骨頭の手前の位置に対応する位置を周縁とすることにより、足趾、特に第３趾、第４趾を使わせようとする。これにより、浮き指低減用インソール（ＩＳ（Ｆ））は、足趾の使用を促し、その結果、浮き指を低減させることが可能となる。
【００７５】
ステップＳ１２：上記したステップＳ１〜Ｓ３と同様に、換言すれば、上記したステップＳ１１と同様に、圧力測定機器ＰＭの本体ユニットＭＮ（ＰＭ）は、今度は、浮き指低減用インソールＩＳ（Ｆ）を着用した被測定者乙の足の指の圧力を測定し、測定された足指圧力データＤＴが、圧力表示機器ＰＤの制御ユニットＣＴ（ＰＤ）に届く。ここで、ステップＳ１２で測定された足指圧力データＤＴは、図１４における「浮き指低減用インソールの着用後」（右側の棒グラフ）に示される通りである。
【００７６】
ステップＳ１３：制御ユニットＣＴ（ＰＤ）は、表示ユニットＤＰ（ＰＤ）に、足指圧力データＤＴ（浮き指低減用インソールの着用前）、及び、足指圧力データＤＴ（浮き指低減用インソールの着用後）を表示すべき旨を指示し、当該指示に従って、表示ユニットＤＰ（ＰＤ）は、足指圧力データＤＴ（浮き指低減用インソールの着用前）、及び、足指圧力データＤＴ（浮き指低減用インソールの着用後）を、図１４に示されるように表示する。
【００７７】
ステップＳ１４：被測定者乙は、自らにより、または、圧力測定システムＰＭＳを有する企業（例えば、靴販売店、靴メーカ、靴修理店、デパート）により、図１４に示される、足指圧力データＤＴ（浮き指低減用インソールの着用前）、及び、足指圧力データＤＴ（浮き指低減用インソールの着用後）を比較することにより、被測定者乙の第１趾、第２趾、第３趾の浮き指の程度が低減されたか否かを確認する。
【００７８】
ここで、図１４では、被測定者乙の第１趾、第２趾、第３趾の荷重、即ち、圧力については、浮き指低減用インソールの着用前に比較して、浮き指低減用インソールの着用後の方が大きいことから、被測定者乙の第１趾、第２趾、第３趾の浮き足が低減されたといえる。
【００７９】
実施形態の圧力測定システムＰＭＳを用いることにより、被測定者乙の足の指が浮き指であるか否かを判断することができ、また、浮き指である可能性が高い指が浮き指低減用インソールＩＳ（Ｆ）の着用により低減されたか否かをも確認することができる。
【００８０】
また、本発明の圧力測定システムＰＭＳを用いれば、インソールの他にも、靴の違いによって浮き指が低減できるかどうかの評価が可能となる。なお、本発明の圧力測定システムＰＭＳは、浮き指の評価以外にも使用することができる。
【００８１】
〈応用例〉
実施形態の圧力測定システムＰＭＳは、検出部Ｄ１〜Ｄ５により、第１趾〜第５趾の圧力を測定することに代えて、または、測定することに加えて、他の検出部（検出部Ｄ１〜Ｄ５と同等の機能を有するもの）により、例えば、荷重の観点から足の裏で最も重要である母趾球、小趾球、踵や第２、第３中趾足骨付近の圧力を測定することによって、左右の両足に掛かる荷重の分布を把握することが可能であり、更に、当該測定を経時的に継続することにより、歩行等のときの着地のタイミング等を把握することが可能である。
【００８２】
実施形態の圧力測定システムＰＭＳは、検出部Ｄ１〜Ｄ５により、第１趾〜第５趾の圧力を測定することに加えて、他のセンサ（例えば、ジャイロセンサ、加速度センサ、気圧センサ）により、身体の他の部位の状況を測定することによって、例えば、歩行状態、走行状態、跳躍状態等（歩行、走行状、跳躍の速度を含む）を把握することが可能である。
【符号の説明】
【００８３】
ＰＭＳ  圧力測定システム、ＰＭ  圧力測定機器、ＣＴ（ＰＭ）  制御ユニット、ＭＮ（ＰＭ）  本体ユニットＭＮ（ＰＭ）、通信ユニットＣＭ（ＰＭ）、圧力表示機器  ＰＤ、制御ユニット  ＣＴ（ＰＤ）、表示ユニット  ＤＰ（ＰＤ）、通信ユニット  ＣＭ（ＰＤ）、通信路  ＴＬ、Ｄ１〜Ｄ５  検出部、Ｂ  本体部、Ｃ１〜Ｃ５  凸部
【図１】
2019177072.tif 000003
【図２】
2019177072.tif 000004
【図３】
2019177072.tif 000005
【図４】
2019177072.tif 000006
【図５】
2019177072.tif 000007
【図６】
2019177072.tif 000008
【図７】
2019177072.tif 000009
【図８】
2019177072.tif 000010
【図９】
2019177072.tif 000011
【図１０】
2019177072.tif 000012
【図１１】
2019177072.tif 000013
【図１２】
2019177072.tif 000014
【図１３】
2019177072.tif 000015
【図１４】
2019177072.tif 000016
【図１５】
2019177072.tif 000017